(57)【特許請求の範囲】
【請求項１】
帯状のシートをサクションロールに吸着させる第一工程と、
前記サクションロール上の前記帯状のシートの両側に少なくともパルプを含むパルプ組成物を吸着させてマット状とし、パルプマットを形成させる第二工程と、
前記サクションロールに吸着された前記帯状のシートおよびその両側のパルプマットを基材シートに転載して、積層物を形成させる第三工程とを含む吸収体の製造方法。
【請求項２】
帯状のシートを幅方向に切断し、切断されたシート切断物をサクションロールに吸着させる第一工程と、
前記サクションロール上の前記シート切断物の周りに少なくともパルプを含むパルプ組成物を吸着させてマット状とし、パルプマットを形成させる第二工程と、
前記サクションロールに吸着された前記シート切断物およびその周りのパルプマットを基材シートに転載して、積層物を形成させる第三工程とを含む吸収体の製造方法。
【請求項３】
前記帯状のシートが高吸水性シートである請求項１または２に記載の吸収体の製造方法。
【発明の詳細な説明】
【技術分野】
【０００１】
本発明は、吸収体の製造方法に関するものである。
【背景技術】
【０００２】
使い捨ておむつ、生理用品等に使用する吸収体の製造方法としては、ベースコンベアにより台紙（ウェブ）を搬送する一方、回転するパターンドラム上の幅方向中央部にパルプ繊維を吸引して積繊し、このパターンドラム上に積繊したパルプ繊維層を台紙側の吸引により移動させて積層物を得る方法が広く知られている。
【０００３】
これに対して、ベースコンベアにより台紙を搬送する際に、台紙上の幅方向中央部にパルプ繊維を吸引して積繊して台紙側パルプ繊維層とし、パターンドラム上に積繊したパターンパルプ層を台紙上に移動させた際に、台紙上の幅方向中央部に、パターンパルプ層と台紙側パルプ層との２層のパルプ繊維層を形成して積層物を得る方法も知られている（特許文献）。
【０００４】
また、開口部を有する上層吸収体とこの上層吸収体よりも同幅または狭幅の下層吸収体とから構成された構造の吸収用積層体の製造方法も知られている（特許文献２）。
【特許文献１】特開平１１−１３７６０４号公報
【特許文献２】特開２００３−１４４４８７号公報
【発明の開示】
【発明が解決しようとする課題】
【０００５】
しかしながら、特許文献１に記載された方法で得られた吸収体は、着用者の動きにより、よれて裂ける場合があった。また、特許文献２に記載された方法で得られた吸収体も、特許文献１に記載された吸収体と同様、着用者の動きにより、よれて裂ける場合があった。
【課題を解決するための手段】
【０００６】
本発明者は、前記従来技術の課題を解決するために鋭意検討した結果、吸収体において、中央部と周辺部とで材質の異なる層を採用すれば、薄型かつ高機能な吸収体を提供することができることを見いだした。また、このような吸収体を製造する簡便な方法を確立し、本発明を完成した。即ち、本発明によれば、以下に示す吸収体の製造方法が提供される。
【０００７】
［１］  帯状のシートをサクションロールに吸着させる第一工程と、前記サクションロール上の前記帯状のシートの両側に少なくともパルプを含むパルプ組成物を吸着させてマット状とし、パルプマットを形成させる第二工程と、前記サクションロールに吸着された前記帯状のシートおよびその両側のパルプマットを基材シートに転載して、積層物を形成させる第三工程とを含む吸収体の製造方法。
【０００８】
［２］  帯状のシートを幅方向に切断し、切断されたシート切断物をサクションロールに吸着させる第一工程と、前記サクションロール上の前記シート切断物の周りに少なくともパルプを含むパルプ組成物を吸着させてマット状とし、パルプマットを形成させる第二工程と、前記サクションロールに吸着された前記シート切断物およびその周りのパルプマットを基材シートに転載して、積層物を形成させる第三工程とを含む吸収体の製造方法。
【０００９】
［３］  前記帯状のシートが高吸水性シートである上記［１］または［２］に記載の吸収体の製造方法。
【発明の効果】
【００１６】
本発明の製造方法によれば、中央部と周辺部とで材質の異なる層を含む吸収体を簡便に製造することができる。本発明の方法により製造される吸収体は、中央部と周辺部とで材質の異なる層を採用し得るので、厚い積層構造とする必要がなく薄型とすることができる。また、着用者の動きによってパルプマットがよれたり、裂けたりしにくくなる。さらに、中央部と周辺部との材質を適宜選択することで、高い機能性を付与することができる。
【発明を実施するための最良の形態】
【００１７】
以下、本発明の吸収体の製造方法を実施するための最良の形態について具体的に説明する。但し、本発明はその発明特定事項を備える吸収体の製造方法を広く包含するものであり、以下の実施形態に限定されるものではない。
【００１８】
［１］吸収体の製造方法：
本発明の製造方法は、帯状のシートをサクションロールに吸着させる第一工程と、前記サクションロール上の前記帯状のシートの両側に少なくともパルプを含むパルプ組成物を吸着させてマット状とし、パルプマットを形成させる第二工程と、前記サクションロールに吸着された前記帯状のシートおよびその両側のパルプマットを基材シートに転載して、積層物を形成させる第三工程とを含む。または、帯状のシートを幅方向に切断し、切断されたシート切断物をサクションロールに吸着させる第一工程と、前記サクションロール上の前記シート切断物の周りに少なくともパルプを含むパルプ組成物を吸着させてマット状とし、パルプマットを形成させる第二工程と、前記サクションロールに吸着された前記シート切断物およびその周りのパルプマットを基材シートに転載して、積層物を形成させる第三工程とを含んでもよい。
【００１９】
以下、図２Ａまたは図２Ｂおよび図３に示す吸収体２１を製造する場合の例により、図１を参照しつつ本発明の製造方法を説明する。
【００２０】
［１−１］第一工程：
図１において、まず、帯状のシートとしてのＳＡＰシートがＳＡＰシートロール９から巻き出される。巻き出されたＳＡＰシートはサクションドラム１の周面上に供給される。なお、巻き出されたＳＡＰシートをカッター１５ａにより、所定長さに切断しても良い。この場合、切断されたＳＡＰシート切断物がサクションドラム１の周面上に供給される。
【００２１】
ここで、サクションドラム１の外周面には、所定の目開き寸法の網目が形成されている（図示せず）。また、サクションドラム１の周面上は、サクションドラム１の周面に沿って、サクションドラム１の内部に配設されている複数の吸引機１３ａにより負圧吸引されている。この吸引圧により、サクションドラム１の周面上に供給されたＳＡＰシートまたはＳＡＰシート切断物は、サクションドラム１の周面上に吸着される。
【００２２】
［１−２］第二工程：
サクションドラム１の上方では、解繊機３によって原料パルプが解繊されている。解繊されたフラッフパルプはサクションドラム１に向って供給され、次いでサクションドラム１内部に配設されている吸引機１３ａにより吸引され、サクションドラム１の周面上に吸着され、積繊され、パルプマットが形成される。ただし、サクションドラム１の周面上の既にＳＡＰシートまたはＳＡＰシート切断物が吸着されている部位は、ＳＡＰシートまたはＳＡＰシート切断物により遮蔽され、フラッフパルプが吸着・積繊されず、パルプマットが形成されない。
【００２３】
サクションドラム１が時計回りに回転していくと、ＳＡＰシートまたはＳＡＰシート切断物上に堆積している等の、サクションドラム１に吸着されていないフラッフパルプはサクションドラム１の周面上から落下する。この際、落下したフラッフパルプはフラッフパルプ受け１７により回収される。
【００２４】
［１−３］第三工程：
ティシュペーパーロール５から基材シートとしてのティシュペーパーが巻き出され、ホットメルト接着剤塗布機７ａによりホットメルト接着剤が塗布され、サクションドラム１の周面下部に供給される。サクションドラム１は、図１中左下およそ１／３の部分には吸引機１３ａが配設されておらず、サクションドラム１が回転して吸引機１３ｂの位置にまで到達すると、サクションドラム１の吸引は解かれる。一方、サクションドラム１に対向する吸引機１３ｂの吸引力によりＳＡＰシートまたはＳＡＰシート切断物およびその周囲に形成されているパルプマットは、ティシュペーパーを介して吸引され、ティシュペーパー上に転載される。
【００２５】
その後、積層物はさらにホットメルト接着剤塗布機７ｂによりホットメルト接着剤が塗布され、次いで、ティシュペーパーロール１１から巻き出されたティシュペーパーが積層され、その後、カッター１５ｂにより所定幅に切断されて吸収体が形成される。
【００２６】
以上、図１を参照しつつ本発明の製造方法を説明したが、本発明は上記の実施形態に限定されず、さまざまな変形例が採用可能である。例えば、特許第３９０９９５３号公報に開示されているように、サクションドラム１にパターンを形成しても良い。また、サクションドラム１に供給するパルプは解繊されたフラッフパルプのみからなる場合に限らず、ＳＡＰ等をフラッフパルプに混入して構成するようにしてもよい。
【００２７】
［２］吸収体：
本発明の製造方法で得られる吸収体の一実施形態は、例えば、図２Ａまたは図２Ｂおよび図３に示す吸収体２１のように、第一層シートとしての基材シートであるティシュペーパー２７ａ上に高吸水性シート２３が積層され、ティシュペーパー２７ａ上において、図２Ａに示すように前記高吸水性シート２３の短手方向両端面に沿ってかまたは、図２Ｂに示すように前記高吸水性シート２３の側面全体を取り囲むように、少なくともパルプを含むパルプ組成物がマット状に形成されたパルプマット２５が配設されて第二層シートが形成された構造を有する。さらに、この積層構造の上にティシュペーパー２７ｂを積層しても良い。この場合、ティシュペーパー２７ａ、２７ｂの周縁部には、ホットメルト接着剤が塗布され、ホットメルト接着剤にてばらけないように接着される。
【００２８】
また、ティシュペーパー２７ａの幅を広く取り、高吸水性シート２３およびパルプマット２５を積層した後、ティシュペーパー２７ａの幅方向両側の余った部分を高吸水性シート２３およびパルプマット２５の上で重ねることによりティシュペーパー２７ｂを省略しても良い（図示せず）。
【００２９】
さらに、図４に示すように、高吸水性シート２３およびパルプマット２５を積層した後にパルプシート２９をさらに積層した構造を有する吸収体３１としても良い。
【００３０】
［２−１］帯状のシート：
本明細書にいう「帯状のシート」としては、高吸水性シート、拡散シート、およびパルプシート等を例示することができる。より詳しくは、高吸水性シートとしては、高吸水性樹脂（Ｓｕｐｅｒ  Ａｂｓｏｒｂｅｎｔ  Ｐｏｌｙｍｅｒ：ＳＡＰ）を含む吸収性材料を例示することができる。また、拡散シートとしては、特開２００１−２５８９３２号公報および特許第２７０２８５２号公報等に開示されているものを例示することができる。さらに、パルプシートとしては、主にフラッフパルプからなるシートのほかに、アクイジションまたはトランスファと呼称される嵩高な不織布状ウェブ、および弾性復元力の大きな部分架橋処理を施したフラッフパルプであるカーリーファイバー等の機能性パルプシートを例示することができる。
【００３１】
使い捨ておむつ、生理用品等に使用する吸収体として、ＳＡＰを基材に担持させたもの等が使用されている。このような吸収体としては、身体に装着するため、薄く、高い吸収性能を有するものが望まれている。そのため、より薄く、吸収性能が高い吸水性シートとして、例えば、不織布等からなる基材シートに、結合剤等を用いてＳＡＰを固着（担持）させることによって、薄く形成した高吸水性シートや、ＳＡＰとパルプ等の繊維状材料とを均一に混合しシート状に形成した高吸水性シートが開発されている。図２および図３に示す高吸水性シート２３は、ＳＡＰ組成物からなるシート状部材である。本明細書にいう「高吸水性樹脂（Ｓｕｐｅｒ  Ａｂｓｏｒｂｅｎｔ  Ｐｏｌｙｍｅｒ：ＳＡＰ）」とは、自重の３０倍以上の生理食塩水（食塩濃度０．９質量％）を吸収し得る性能を有する樹脂を総称するものである。
【００３２】
前記のような性質を有する樹脂である限り、その化学的構造等については特に制限はない。例えば、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリスルフォン酸系化合物、ポリエチレンオキサイド、ポリアクリルアミド等の水膨潤性ポリマーを部分架橋したポリマー、及びイソブチレンとマレイン酸との共重合体等の水和ゲル形成能を持つ樹脂等を挙げることができる。
【００３３】
「高吸水性樹脂」は、上記のような合成樹脂のみならず、天然樹脂や生物学的な手法により得られる樹脂であってもよい。生物学的な手法により得られる樹脂としては、例えば、アルカリゲネス属ラタス（Ａｌｃａｌｉｇｅｎｅｓ  Ｌａｔｕｓ）からの培養生成物である高吸水性樹脂等を挙げることができる。また、「高吸水性樹脂」は、生分解性の樹脂であってもよい。生分解性を有する高吸水性樹脂としては、例えば、ポリアスパラギン酸のアミノ酸架橋物等を挙げることができる。
【００３４】
更に、高吸水性シートは、親水性シートによって被包されていても良い。親水性シートとしては、ティシュペーパー、吸水紙、界面活性剤等で親水化処理された不織布等からなるシートを用いることが好ましい。
【００３５】
帯状のシートの厚さについて特に制限はない。但し、０．５〜３．０ｍｍとすることが好ましく、０．５〜２．０ｍｍとすることが更に好ましい。ＳＡＰシートを採用する場合には、厚さを０．５ｍｍ以上とすることで、ＳＡＰ粒子の含有量を増加させることができ、必要な吸水性能を確保することができる。また、３．０ｍｍ以下とすることにより、薄型の吸収性材料を構成することができ、吸収性物品（使い捨ておむつ等）への適用が容易となる。
【００３６】
本発明の製造方法で得られる吸収体においては、市販のシート状吸収体を「高吸水性シート」として利用してもよい。例えば、エアレイド法で成形されたパルプマット中に、シート化されたＳＡＰを組み込んだシート状吸収体（商品名：ＴＤＳ不織布、王子キノクロス社製）、エアレイド法で成形されるパルプマットの中層にＳＡＰを組み込んだシート状吸収体（商品名：Ｂ−ＳＡＰ、王子キノクロス社製）、パルプマット中にＳＡＰ粒子を均一に分散させたシート状吸収体（商品名：ノバシン、レイオニア社製）、ＳＡＰを微細セルロース繊維と接着剤で不織布に固定した吸水性複合体等を挙げることができる。
【００３７】
［２−２］パルプマット：
「パルプマット」とは、字義通り、パルプがマット状に形成されたものである。「パルプマット」は、「パルプ」を嵩高なマット状に加工することにより形成することができる。中でも、フラッフパルプを嵩高なマット状に加工したものを好適に用いることができる。このフラッフパルプとしては、木材パルプや非木材パルプを綿状に解繊したものを用いることが好ましい。
【００３８】
［２−３］基材シート：
本明細書にいう「基材シート」は、好ましくは、可撓性材料からなるシート状部材である。「可撓性材料」としては、紙や布のシート、より具体的には、ティシュペーパー、吸水紙、不織布等からなるシートを好適に用いることができる。
【００３９】
不織布としては、乾式法による乾式不織布、湿式法による湿式不織布、或いはこれらを複合した手法による不織布等を挙げることができる。このような不織布としては、以下、全て商品名で、「キノクロス」、「ＴＤＳ不織布」（いずれも王子キノクロス社製）等を挙げることができる。また、高圧ジェット水流による水流交絡等の手法によって、短繊維が安定的に結合された構造の不織布を用いることもできる。
【００４０】
不織布を構成する繊維としては、見掛けデニールが１〜１０デニールの繊維であることが好ましい。また、繊維の材質としては、レーヨン（再生セルロース繊維）、リヨセル（精製セルロース繊維）、コットン等のセルロース系繊維、ポリプロピレン（ＰＰ）繊維、ポリエチレンテレフタレート（ＰＥＴ）繊維等を挙げることができ、セルロース系繊維と、ＰＰ繊維やＰＥＴ繊維との混合繊維のように、これらの繊維を２種以上混合させた混合繊維を構成繊維とする不織布を用いることもできる。ＰＰ繊維、ＰＥＴ繊維等の合成繊維を主体とする繊維からなる不織布については、界面活性剤等で親水化処理されたものを用いることが好ましい。
【００４１】
［２−４］積層構造：
吸収体は、着用者の尿、体液等の排泄物を吸収し、保持するための部材であり、尿や体液を吸収し保持する必要から、吸収性材料によって構成される。前記一実施形態に係る吸収体は、基材シートの上に高吸水性シートとパルプマットという２種類の吸収性材料を構成材料として備えており、高吸水性シートの側面全体を取り囲むように、パルプマットが配設された構造を有するものである。
【００４２】
図２Ａに示すように前記高吸水性シートの短手方向両側面に沿ってかまたは、図２Ｂに示すように前記高吸水性シートの側面全体を取り囲むようにパルプマットを配したシートの利点は、次のとおりである。
【００４３】
高吸水性シート、特にＳＡＰシートを形成するＳＡＰは吸収保持性は高いものの、その吸収速度、特に吸収の立ち上がり速度が遅いという特性を有する。例えば、尿などの排出速度は個人差、性差、年齢差などによって異なるが、最も早い例では１０ｃｃの尿が１０秒前後で排出される。これに対し、ＳＡＰはその吸収速度が改善されたものであっても、液体が接してから吸収能力を十分に発揮する状態に至るまで、少なくとも３０秒以上を必要とする。このような尿の排出速度と吸収体の少なくとも一部を構成するＳＡＰによる液体の吸収速度との間に存在する大きな速度差によって、尿の排出直後の段階では、尿の大部分が未吸収のまま高吸収性シート上部に滞留することとなる。そして、この未吸収の尿の高吸収性シート上部での自由な移動が、高吸収性シートが使用されている製品からの尿の漏れの大きな原因となる。
【００４４】
一方、パルプマットは、吸収体として、柔軟なフラッフ吸収層を形成したときに、スポット的に液体を吸収するために、吸収体全体を効率よく利用するための拡散性に劣る。
【００４５】
そこで、同一平面上において、中心部に高吸収性シートを配し、図２Ａに示すように前記高吸水性シートの短手方向両端面に沿ってかまたは、図２Ｂに示すように前記高吸水性シートの側面全体を取り囲むようにパルプマットを配した構成とすることにより次の効果が期待できる。高吸収性シート上に滴下された液体は、高吸収性シート内部には直ぐには吸収されず、高吸収性シート上を拡散していく。高吸収性シート上を拡散してパルプマットの部位まで到達すると、パルプマットは上記のとおりスポット的に迅速に液体を吸収する。パルプマットに吸収された液体は、時間をかけて高吸収性シート内部に移動していく。このように作用することにより、高吸収性シート全体にわたって液体を捕捉させることができるので、高吸収性シートの利用効率が高まる。
【００４６】
さらに、本発明の製造方法で得られる吸収体の構成によれば、嵩高のパルプマットが分断されるために、着用者の動きによってマットがよれたり、裂けたりしにくくなる。
【００４７】
高吸水性シートとパルプマットとからなる層は、ティシュペーパー、吸水紙、不織布等からなる親水性シートによって被包されたものが好ましい。
【００４８】
例えば、図２Ａまたは図２Ｂおよび図３に示す吸収体２１は、高吸水性シート２３とパルプマット２５からなる層を親水性シート２７ａ、２７ｂで被包した例である。この例では、親水性シート２７ａ、２７ｂとして、ティシュペーパーからなるシート材を用いており、高吸水性シート２３とパルプマット２５とからなる層が、上ティシュペーパー２７ｂ及び下ティシュペーパー２７ａという２枚のシート材によって被包されている。この際、高吸水性シートの上下にはパルプ層が存在しないため、高吸水性シートは上下のティシュペーパーとホットメルト接着剤により固定される。
【００４９】
［３］本発明の製造方法で得られる吸収体の使用例（使い捨ておむつ）：
本発明の製造方法で得られる吸収体を使用した使い捨ておむつとしては、前記吸収体と、前記吸収体の表面を被覆するように配置され、少なくとも一部が液透過性材料からなるトップシートと、前記吸収体の裏面を被覆するように配置され、液不透過性材料からなるバックシートと、を備えたものを例示することができる。
【００５０】
［３−１］吸収体：
前記使い捨ておむつでは、吸収体として、既に説明した本発明の製造方法で得られる吸収体を用いる。吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されることになる。
【００５１】
吸収体の形状については特に制限はないが、従来の使い捨ておむつ、その他の吸収性物品において使用される形状、例えば、矩形状、砂時計型、ひょうたん型、Ｔ字型等を挙げることができる。
【００５２】
［３−２］トップシート：
トップシートは、吸収体の表面（おむつの装着時において着用者の肌側に位置する面）を被覆するように配置されるシートである。トップシートは、その裏面側に配置された吸収体に、着用者の尿を吸収させる必要から、少なくとも一部（その全部ないし一部）が液透過性材料により構成される。
【００５３】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。
【００５４】
トップシートは単一のシート材によって構成されていてもよいが、複数のシート材によって構成されていてもよい。例えば、テープ型おむつにおいては、おむつの中央部には液透過性材料からなるトップシート（センターシート）を配置し、おむつのサイドフラップ部分には撥水性材料からなるトップシート（サイドシート）を配置する形態がよく利用される。
【００５５】
［３−３］バックシート：
バックシートは、吸収体の裏面（おむつの装着時において着用者の着衣側に位置する面）を被覆するように配置されるシートである。バックシートは、着用者の尿がおむつ外部に漏洩してしまうことを防止する必要から、液不透過性材料によって構成される。
【００５６】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００５７】
なお、バックシートには、その外表面側にシート材（カバーシート）を貼り合わせてもよい。このカバーシートは、バックシートを補強し、バックシートの手触り（触感）を良好なものとするために用いられる。
【００５８】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００５９】
［３−４］その他の構成要素：
本発明の製造方法で得られる吸収体を使用した使い捨ておむつは、前記吸収体、トップシート、バックシートを備える他、従来公知の使い捨ておむつが備えることがある他の構成要素を備えていてもよい。例えば、脚周り、ウエスト周りに伸縮材を備えていてもよいし、吸収体の側縁に立体ギャザーを備えていてもよい。また、テープ型おむつのように装着用の止着テープを備えていてもよい。
【産業上の利用可能性】
【００６０】
本発明の製造方法で製造した吸収体は、使い捨ておむつ、生理用品等の吸収性物品に好適に用いることができる。
【図面の簡単な説明】
【００６１】
【図１】本発明の吸収体の製造方法の一実施形態を模式的に示す側面図である。
【図２Ａ】本発明の製造方法で得られる吸収体の一実施形態を模式的に示す断面図である。
【図２Ｂ】本発明の製造方法で得られる他の吸収体の一実施形態を模式的に示す断面図である。
【図３】本発明の製造方法で得られる吸収体の一実施形態を模式的に示す断面図であり、図２Ａまたは図２Ｂに示す吸収体のＡ−Ａ’断面図である。
【図４】本発明の製造方法で得られる吸収体の他の実施形態を模式的に示す断面図である。
【符号の説明】
【００６２】
１：サクションドラム、３：解繊機、５：ティシュペーパーロール、７ａ，７ｂ：ホットメルト接着剤塗布機、９：ＳＡＰシートロール、１１：ティシュペーパーロール、１３ａ，１３ｂ：吸引機、１５ａ，１５ｂ：カッター、１７：フラッフパルプ受け、２１，３１：吸収体、：高吸収性シート、２５：パルプマット、２７ａ，２７ｂ：ティシュペーパー、２９：パルプシート
【図１】
0004929229.tif 000002
【図２Ａ】
0004929229.tif 000003
【図２Ｂ】
0004929229.tif 000004
【図３】
0004929229.tif 000005
【図４】
0004929229.tif 000006